(57)【要約】【課題】デコードエラーが発生した場合の発生原因の少なくとも一部を特定してユーザに伝えることによって、デコードエラーの発生原因が分からないことに対するユーザの不安を軽減させるデジタル放送受信装置を提供することである。【解決手段】デジタル放送受信装置１００において、検出手段（ＣＰＵ８、検出プログラム１０ａ）によって、デコードエラーを検出し、計測手段（ＣＰＵ８、計測プログラム１０ｂ）によって、チューナから出力された信号強度を計測し、検出手段によりデコードエラーが検出された際に、計測手段により計測された信号強度が、所定値以下である場合、表示制御手段（ＣＰＵ８、表示制御プログラム１０ｃ）によって、所定のメッセージを映像／音声出力装置２００（表示手段）に表示させる。【選択図】図１
2007288521.tif 000002
【特許請求の範囲】
【請求項１】
デジタル放送信号を受信するデジタル放送受信装置において、
前記デジタル放送信号に基づく映像／音声データの伸張処理するデコーダと、
前記デコーダによる映像／音声データの伸張処理時のデコードエラーを検出する検出手段と、
外部より受信された放送信号のうち所定の放送チャンネルの放送信号を選局するチューナから出力された信号強度を計測する計測手段と、
前記検出手段によりデコードエラーが検出された際に、前記計測手段により計測された信号強度が、所定値以下である場合、所定の第１メッセージを表示手段に表示させる第１の表示制御手段と、
前記デコーダに異常があるか否かを判断するためのテストストリームデータを記憶する記憶手段と、
前記テストストリームデータを用いて、前記デコーダに異常があるか否かを判断する判断手段と
前記判断手段により前記デコーダに異常があると判断された場合、所定の第２メッセージを表示手段に表示させる第２の表示制御手段と、
前記検出手段によりデコードエラーが検出された際、所定の周期内におけるデコードエラー発生頻度を算出する算出手段と、
前記算出手段により算出されたデコードエラー発生頻度が所定の閾値を超えた場合、所定の第３メッセージを表示手段に表示させ、前記算出手段により算出されたデコードエラー発生頻度が所定の閾値以下である場合、所定の第４メッセージを表示手段に表示させる第３の表示制御手段と、
を備えることを特徴とするデジタル放送受信装置。
【請求項２】
デジタル放送信号を受信するデジタル放送受信装置において、
前記デジタル放送信号に基づく映像／音声データの伸張処理するデコーダと、
前記デコーダによる映像／音声データの伸張処理時のデコードエラーを検出する検出手段と、
外部より受信された放送信号のうち所定の放送チャンネルの放送信号を選局するチューナから出力された信号強度を計測する計測手段と、
前記検出手段によりデコードエラーが検出された際に、前記計測手段により計測された信号強度が、所定値以下である場合、所定のメッセージを表示手段に表示させる表示制御手段と、
を備えることを特徴とするデジタル放送受信装置。
【請求項３】
前記デコーダに異常があるか否かを判断するためのテストストリームデータを記憶する記憶手段と、
前記テストストリームデータを用いて、前記デコーダに異常があるか否かを判断する判断手段と
前記判断手段により前記デコーダに異常があると判断された場合、所定の第２メッセージを表示手段に表示させる第２の表示制御手段と、
を備えることを特徴とする請求項２に記載のデジタル放送受信装置。
【請求項４】
前記検出手段によりデコードエラーが検出された際、所定の周期内におけるデコードエラー発生頻度を算出する算出手段と、
前記算出手段により算出されたデコードエラー発生頻度が所定の閾値を超えた場合、所定の第３メッセージを表示手段に表示させ、前記算出手段により算出されたデコードエラー発生頻度が所定の閾値以下である場合、所定の第４メッセージを表示手段に表示させる第３の表示制御手段と、
をさらに備える請求項２又は３に記載のデジタル放送受信装置。
【発明の詳細な説明】
【技術分野】
【０００１】
本発明は、デジタル放送信号の受信を行うデジタル放送受信装置に関する。
【背景技術】
【０００２】
近年、テレビジョン放送の分野において、これまで主として用いられてきた地上波のアナログ放送技術に代わって、地上波デジタル放送の他、通信衛星（ＣＳ；Communications Satellite）や放送衛星（ＢＳ；Broadcast Satellite）を介してデジタル信号を伝送するデジタル放送技術、ＣＡＴＶ（ケーブルテレビジョン）システムが急速に普及しつつある。
【０００３】
当該デジタル放送技術を用いたデジタル放送受信装置には、例えば、フリーズ処理時にフリーズ処理中であることを通知する表示を行い、フリーズ処理時におけるユーザの違和感を軽減し、受信装置側の動作異常が発生したとの懸念を取り除くことのできるデジタル放送受信装置がある（特許文献１参照）。
【０００４】
また、テレビジョン受像機の自己診断処理を実行して、診断結果を既存のインタフェースを利用して外部記録メディアに書き込み、自己診断処理に係る異常情報を外部に提供するテレビジョン受像機がある（特許文献２参照）。
【０００５】
また、故障したＩＣカードをシステムから切り離し、故障ＩＣカードの機能を除いた受信装置の動作を正常に継続させることができる耐故障性を高めたデジタル放送受信装置がある（特許文献３参照）。
【０００６】
また、入力されたデジタル情報のエラーレートを検出し、これが大きい場合には、よりエラーの影響の少ないフォーマット、例えば、水平解像度、走査線数などが少なく、データレートの低いフォーマットで送るよう、信号源側に切り換えを促すことによって、デジタル映像信号の品質が低い場合でも適切な映像信号を得ることを可能にする映像処理装置がある（特許文献４参照）。
【特許文献１】特開２００５−２６０６０５号公報
【特許文献２】特開２００４−３４９７８６号公報
【特許文献３】特開平１１−２４３５３３号公報
【特許文献４】特開２００３−２５９２４１号公報
【発明の開示】
【発明が解決しようとする課題】
【０００７】
しかしながら、上記特許文献１〜４に開示された装置では、デコードエラーが発生した場合に、具体的なデコードエラーの原因を特定してメッセージ表示することはできない。
【０００８】
本発明の課題は、デコードエラーが発生した場合の発生原因の少なくとも一部を特定してユーザに伝えることによって、デコードエラーの発生原因が分からないことに対するユーザの不安を軽減させるデジタル放送受信装置を提供することである。
【課題を解決するための手段】
【０００９】
上記課題を解決するため、請求項１に記載の発明は、デジタル放送信号を受信するデジタル放送受信装置において、
前記デジタル放送信号に基づく映像／音声データの伸張処理するデコーダと、
前記デコーダによる映像／音声データの伸張処理時のデコードエラーを検出する検出手段と、
外部より受信された放送信号のうち所定の放送チャンネルの放送信号を選局するチューナから出力された信号強度を計測する計測手段と、
前記検出手段によりデコードエラーが検出された際に、前記計測手段により計測された信号強度が、所定値以下である場合、所定の第１メッセージを表示手段に表示させる第１の表示制御手段と、
前記デコーダに異常があるか否かを判断するためのテストストリームデータを記憶する記憶手段と、
前記テストストリームデータを用いて、前記デコーダに異常があるか否かを判断する判断手段と
前記判断手段により前記デコーダに異常があると判断された場合、所定の第２メッセージを表示手段に表示させる第２の表示制御手段と、
前記検出手段によりデコードエラーが検出された際、所定の周期内におけるデコードエラー発生頻度を算出する算出手段と、
前記算出手段により算出されたデコードエラー発生頻度が所定の閾値を超えた場合、所定の第３メッセージを表示手段に表示させ、前記算出手段により算出されたデコードエラー発生頻度が所定の閾値以下である場合、所定の第４メッセージを表示手段に表示させる第３の表示制御手段と、
を備えることを特徴とする。
【００１０】
請求項２に記載の発明は、デジタル放送信号を受信するデジタル放送受信装置において、
前記デジタル放送信号に基づく映像／音声データの伸張処理するデコーダと、
前記デコーダによる映像／音声データの伸張処理時のデコードエラーを検出する検出手段と、
外部より受信された放送信号のうち所定の放送チャンネルの放送信号を選局するチューナから出力された信号強度を計測する計測手段と、
前記検出手段によりデコードエラーが検出された際に、前記計測手段により計測された信号強度が、所定値以下である場合、所定のメッセージを表示手段に表示させる表示制御手段と、
を備えることを特徴とする。
【００１１】
請求項３に記載の発明は、請求項２に記載のデジタル放送受信装置において、
前記デコーダに異常があるか否かを判断するためのテストストリームデータを記憶する記憶手段と、
前記テストストリームデータを用いて、前記デコーダに異常があるか否かを判断する判断手段と
前記判断手段により前記デコーダに異常があると判断された場合、所定の第２メッセージを表示手段に表示させる第２の表示制御手段と、
を備えることを特徴とする。
【００１２】
請求項４に記載の発明は、請求項２又は３に記載のデジタル放送受信装置において、
前記検出手段によりデコードエラーが検出された際、所定の周期内におけるデコードエラー発生頻度を算出する算出手段と、
前記算出手段により算出されたデコードエラー発生頻度が所定の閾値を超えた場合、所定の第３メッセージを表示手段に表示させ、前記算出手段により算出されたデコードエラー発生頻度が所定の閾値以下である場合、所定の第４メッセージを表示手段に表示させる第３の表示制御手段と、
を備えることを特徴とする。
【発明の効果】
【００１３】
請求項１に記載の発明によれば、検出手段によって、デコードエラーを検出することができ、計測手段によって、チューナから出力された信号強度を計測することができ、検出手段によりデコードエラーが検出された際に、計測手段により計測された信号強度が、所定値以下である場合、第１の表示制御手段によって、所定の第１メッセージを表示手段に表示させることができる。また、判断手段によって、記憶手段に記憶されたテストストリームデータを用いて、デコーダに異常があるか否かを判断することができ、判断手段によりデコーダに異常があると判断された場合、第２の表示制御手段によって、所定の第２メッセージを表示手段に表示させることができる。また、算出手段によって、検出手段によりデコードエラーが検出された際、所定の周期内におけるデコードエラー発生頻度を算出することができ、算出手段により算出されたデコードエラー発生頻度が所定の閾値を超えた場合、第３の表示制御手段によって、所定の第３メッセージを表示手段に表示させ、算出手段により算出されたデコードエラー発生頻度が所定の閾値以下である場合、第３の表示制御手段によって、所定の第４メッセージを表示手段に表示させることができる。
従って、デコードエラーの発生原因を信号強度、デコーダ、又はデコードエラーの発生頻度から特定してユーザに伝えることができることとなり、これらのデコードエラーの発生時にはデコードエラーの発生原因が分からないことに対するユーザの不安を軽減させることができる。
【００１４】
請求項２に記載の発明によれば、検出手段によって、デコードエラーを検出することができ、計測手段によって、チューナから出力された信号強度を計測することができ、検出手段によりデコードエラーが検出された際に、計測手段により計測された信号強度が、所定値以下である場合、表示制御手段によって、所定のメッセージを表示手段に表示させることができる。
従って、デコードエラーの発生原因が信号強度にあれば、その旨をユーザに伝えることができることとなり、かかるデコードエラー発生時にはデコードエラーの発生原因が分からないことに対するユーザの不安を軽減させることができる。
【００１５】
請求項３に記載の発明によれば、請求項２に記載の発明と同様の効果が得られることは無論のこと、判断手段によって、記憶手段に記憶されたテストストリームデータを用いて、デコーダに異常があるか否かを判断することができ、判断手段によりデコーダに異常があると判断された場合、第２の表示制御手段によって、所定の第２メッセージを表示手段に表示させることができる。
従って、デコードエラーの発生原因がデコーダにあれば、その旨をユーザに伝えることができることとなり、かかるデコードエラー発生時にはデコードエラーの発生原因が分からないことに対するユーザの不安をさらに軽減させることができる。
【００１６】
請求項４に記載の発明によれば、請求項２又は３に記載の発明と同様の効果が得られることは無論のこと、算出手段によって、検出手段によりデコードエラーが検出された際、所定の周期内におけるデコードエラー発生頻度を算出することができ、算出手段により算出されたデコードエラー発生頻度が所定の閾値を超えた場合、第３の表示制御手段によって、所定の第３メッセージを表示手段に表示させ、算出手段により算出されたデコードエラー発生頻度が所定の閾値以下である場合、第３の表示制御手段によって、所定の第４メッセージを表示手段に表示させることができる。
従って、デコードエラーの発生頻度からデコードエラーの発生原因を特定してユーザに伝えることができることとなり、かかるデコードエラー発生時にはデコードエラーの発生原因が分からないことに対するユーザの不安をより一層軽減させることができる。
【発明を実施するための最良の形態】
【００１７】
以下、図を参照して、本発明に係るデジタル放送受信装置を実施するための最良の形態を詳細に説明する。
【００１８】
まず、本発明に係るデジタル放送受信装置１００の構成について説明する。本発明に係るデジタル放送受信装置１００は、図１に示すように、アンテナ１，チューナ２，復調部３、分離部４，デコーダ５，ＯＳＤ処理部６、制御部７等を備えて構成される。
また、デジタル放送受信装置１００は、液晶パネル等の映像表示部（図示省略）やスピーカ等の音声出力部（図示省略）を備えた映像／音声出力装置２００と接続されている。
【００１９】
アンテナ１は、例えば、パラボラアンテナやＵＨＦアンテナ等であり、デジタル放送信号を受信し、ＲＦ（Radio  Frequency）信号をチューナ２に出力する。なお、デジタル放送信号に含まれる物理チャンネルの放送データは、ＭＰＥＧ２−ＴＳ方式により多重化されている。
【００２０】
チューナ２は、例えば、ミキサ（図示省略），選局回路（図示省略）等を備えて構成される。そして、チューナ２において、ミキサ，選局回路等により、アンテナ１から入力されたＲＦ信号からユーザが所望する物理チャンネルのＩＦ（Intermediate  Frequency）信号が生成される。
【００２１】
復調部３は、逆インタリーブ回路（図示省略），誤り訂正回路（図示省略），復調回路（図示省略）等を備えて構成される。そして、復調部３において、逆インタリーブ回路，誤り訂正回路，復調回路等により、生成されたＩＦ信号に誤り訂正処理や復調処理等が施され、放送データとしてのＴＳ（Transport  Stream）信号に変換される。復調部３により生成されたＴＳ信号は、分離部４に出力される。
【００２２】
分離部４は、例えば、復調部３，デコーダ５等と接続され、復調部３から入力されるＴＳ信号を映像データ，音声データ，ＰＳＩ／ＳＩ（Program Specific Information/Service Information）に分離し、デコーダ５に出力する。
【００２３】
デコーダ５は、分離部４から入力される映像データや音声データに復号処理を行って、映像／音声出力装置２００に出力する。
【００２４】
ＯＳＤ処理部６は、制御部７から入力される制御信号に従って、ＯＳＤ（On Screen Display ）信号をデコーダ５から映像／音声出力装置２００へ出力される映像データに合成する。
【００２５】
制御部７は、図１に示すように、ＣＰＵ（Central  Processing  Unit）８，ＲＡＭ（Random  Access  Memory）９，記憶部１０等を備えて構成され、チューナ２，復調部３、分離部４，デコーダ５，ＯＳＤ処理部６等と接続され、デジタル放送受信装置１００の各部の制御を行う。
【００２６】
ＣＰＵ８は、記憶部１０に格納された処理プログラム等を読み出して、ＲＡＭ９に展開して実行することにより、デジタル放送受信装置１００全体の制御を行う。
【００２７】
ＲＡＭ９は、ＣＰＵ８により実行された処理プログラム等を、ＲＡＭ９内のプログラム格納領域に展開するとともに、入力データや上記処理プログラムが実行される際に生じる処理結果等をデータ格納領域に格納する。
【００２８】
記憶部１０は、例えば、プログラムやデータ等が予め記憶されている記録媒体（図示省略）を有しており、この記録媒体は、例えば、半導体メモリ等で構成されている。また、記憶部１０は、ＣＰＵ８がデジタル放送受信装置１００全体を制御する機能を実現させるための各種データ，各種処理プログラム，これらプログラムの実行により処理されたデータ等を記憶する。より具体的には、記憶部１０は、例えば、図１に示すように、検出プログラム１０ａ，計測プログラム１０ｂ，第１の表示制御プログラム１０ｃ，判断プログラム１０ｄ，第２の表示制御プログラム１０ｅ，算出プログラム１０ｆ，第３の表示制御プログラム１０ｇ等を格納している。また、記憶部１０は、デコーダ５に異常があるか否かを判断するためのテストストリームデータ（図示省略）を格納している。記憶部１０は、かかるテストストリームデータを記憶することで、記憶手段として機能する。
【００２９】
検出プログラム１０ａは、ＣＰＵ８に、デコードエラーを検出する機能を実現させるプログラムである。
具体的には、ＣＰＵ８は、検出プログラム１０ａを実行することにより、デコーダ５で復号化処理を行う際に、デコードエラーの検出を行う。
ＣＰＵ８は、かかる検出プログラム１０ａを実行することにより、検出手段として機能する。
【００３０】
計測プログラム１０ｂは、ＣＰＵ８に、チューナ２から出力された信号強度を計測する機能を実現させるプログラムである。
具体的には、ＣＰＵ８は、検出プログラム１０ａの実行によりデコードエラーが検出された際に、計測プログラム１０ｂを実行することにより、チューナ２で選局された出力信号の信号強度を計測する。
ＣＰＵ８は、かかる計測プログラム１０ｂを実行することにより、計測手段として機能する。
【００３１】
第１の表示制御プログラム１０ｃは、ＣＰＵ８に、ＯＳＤ処理部６を制御して所定のメッセージを映像／音声出力装置２００に表示させる機能を実現させるプログラムである。
具体的には、ＣＰＵ８は、計測プログラム１０ｂの実行により計測された信号強度の値が所定値以下である場合、表示制御プログラム１０ｃを実行することにより、所定の第１メッセージを映像／音声出力装置２００に表示させる。なお、このとき、映像／音声出力装置２００に表示される所定の第１メッセージには、例えば、「アンテナの向きが正しく設定されていない恐れがあります。アンテナの向きの調整を行って下さい」等が用いられる。
ＣＰＵ８は、かかる表示制御プログラム１０ｃを実行することにより、表示制御手段及び第１の表示制御手段として機能する。
【００３２】
判断プログラム１０ｄは、ＣＰＵ８に、デコーダ５に異常があるか否かを判断する機能を実現させるプログラムである。
具体的には、ＣＰＵ８は、判断プログラム１０ｄを実行することにより、記憶部１０に記憶されているテストストリームデータを用いてデコーダ５をスキャンして異常があるか否かを判断する。
ＣＰＵ８は、かかる判断プログラム１０ｄを実行することにより、判断手段として機能する。
なお、デコーダ５をスキャンした結果を映像／音声出力装置２００に表示させ、ユーザに正常な場合の表示態様と比較させることにより、デコーダ５に異常があるか否かを判断させる設計であっても良い。
【００３３】
第２の表示制御プログラム１０ｅは、ＣＰＵ８に、ＯＳＤ処理部６を制御して所定の第２メッセージを映像／音声出力装置２００に表示させる機能を実現させるプログラムである。
具体的には、ＣＰＵ８は、判断プログラム１０ｄの実行によりデコーダ５に異常があると判断された場合、第２の表示制御プログラム１０ｅを実行することにより、所定の第２メッセージを映像／音声出力装置２００に表示させる。なお、このとき、映像／音声出力装置２００に表示される所定の第２メッセージには、例えば、「デジタル放送受信装置内部のデコーダによる異常の恐れがあります。お客様ご相談室へ問い合わせを行って下さい」等が用いられる。
ＣＰＵ８は、かかる第２の表示制御プログラム１０ｅを実行することにより、第２の表示制御手段として機能する。
【００３４】
算出プログラム１０ｆは、ＣＰＵ８に、デコードエラーの発生頻度を算出する機能を実現させるプログラムである。
具体的には、ＣＰＵ８は、検出プログラム１０ａの実行によりデコードエラーが検出された際、算出プログラム１０ｆを実行することにより、所定の周期内におけるデコードエラー発生頻度を算出する。
ＣＰＵ８は、かかる算出プログラム１０ｆを実行することにより、算出手段として機能する。
【００３５】
第３の表示制御プログラム１０ｇは、ＣＰＵ８に、ＯＳＤ処理部６を制御して所定の第３メッセージ又は所定の第４メッセージを映像／音声出力装置２００に表示させる機能を実現させるプログラムである。
具体的には、ＣＰＵ８は、算出プログラム１０ｆの実行により算出されたデコードエラー発生頻度が、所定の閾値を超えた場合、第３の表示制御プログラム１０ｇを実行することにより、所定の第３メッセージを映像／音声出力装置２００に表示させ、デコードエラー発生頻度が所定の閾値以下である場合、ＣＰＵ８は、第３の表示制御プログラム１０ｇを実行することにより、所定の第４メッセージを映像／音声出力装置２００に表示させる。なお、このとき、映像／音声出力装置２００に表示される所定の第３メッセージには、デコードエラー発生頻度が所定の閾値を超えた場合、つまり、当該装置周辺で別の家電機器を使用してノイズを発生させた場合等、デコードエラー発生頻度が度重なる場合を想定し、例えば、「静電気等による画像乱れの恐れがあります。」等が用いられ、また、所定の第４メッセージには、デコードエラー発生頻度が所定の閾値以下、つまり、突発的な振動の発生等により偶発的にケーブル接続不良が発生した場合等が想定され、例えば、「ケーブル接続不良の恐れがあります。もう一度、ケーブル接続の確認を行って下さい」等が用いられる。
ＣＰＵ８は、かかる第３の表示制御プログラム１０ｇを実行することにより、第３の表示制御手段として機能する。
【００３６】
次に、本発明に係るデジタル放送受信装置１００のメッセージ表示動作処理について、図２に示すフローチャートを参照しながら説明する。
【００３７】
まず、ステップＳ１において、ＣＰＵ８は、検出プログラム１０ａを実行することにより、デコーダ５により出力された映像／音声データについてデコードエラーがあるか否かを判断する（ステップＳ１）。
【００３８】
ステップＳ１において、ＣＰＵ８が検出プログラム１０ａを実行することにより、デコードエラーが検出された場合（ステップＳ１；Ｙｅｓ）、ステップＳ２に進む。一方、ステップ１において、ＣＰＵ８が検出プログラム１０ａを実行することにより、デコードエラーが検出されなかった場合（ステップＳ１；Ｎｏ）、再度、ステップＳ１の動作を繰り返す。
【００３９】
次いで、ステップＳ２において、ＣＰＵ８は、計測プログラム１０ｂを実行することにより、チューナ２から出力された信号強度の計測を行う（ステップＳ２）。
【００４０】
ステップＳ２において、ＣＰＵ８が計測プログラム１０ｂを実行することにより、計測された信号強度の計測値が、所定値以下である場合（ステップＳ２；Ｙｅｓ）、ステップＳ３に進む。
【００４１】
次いで、ステップＳ３において、ＣＰＵ８は、表示制御プログラム１０ｃを実行することにより、所定の第１メッセージを映像／音声出力装置２００に表示（ステップＳ３）させ、本処理を終了する。
【００４２】
一方、ステップＳ２において、ＣＰＵ８が計測プログラム１０ｂを実行することにより、計測された信号強度の計測値が、所定値を超えている場合（ステップＳ２；Ｎｏ）、ステップＳ４に進む。
【００４３】
次いで、ステップＳ４において、ＣＰＵ８は、判断プログラム１０ｄを実行することにより、デコーダ５に異常があるか否かを判断する（ステップＳ４）。
【００４４】
ステップＳ４において、ＣＰＵ８が判断プログラム１０ｄを実行することにより、デコーダ５に異常があると判断された場合（ステップＳ４；Ｙｅｓ）、ステップＳ５に進む。
【００４５】
次いで、ステップＳ５において、ＣＰＵ８は、第２の表示制御プログラム１０ｅを実行することにより、所定の第２メッセージを映像／音声出力装置２００に表示（ステップＳ５）させ、本処理を終了する。
【００４６】
一方、ステップＳ４において、ＣＰＵ８が判断プログラム１０ｄを実行することにより、デコーダ５に異常がないと判断された場合（ステップＳ４；Ｎｏ）、ステップＳ６に進む。
【００４７】
次いで、ステップＳ６において、ＣＰＵ８は、算出プログラム１０ｆを実行することにより、デコードエラーの発生頻度を算出する（ステップ６）。
【００４８】
次いで、ステップＳ７において、ＣＰＵ８が算出プログラム１０ｆを実行することにより算出されたデコードエラー発生頻度が、所定の閾値を超えた場合（ステップＳ７；Ｙｅｓ）、ステップＳ８に進む。
【００４９】
次いで、ステップＳ８において、ＣＰＵ８は、第３の表示制御プログラム１０ｇを実行することにより、所定の第３メッセージを映像／音声出力装置２００に表示（ステップＳ７）させ、本処理を終了する。
【００５０】
一方、ステップＳ７において、ＣＰＵ８が算出プログラム１０ｆを実行することにより算出されたデコードエラー発生頻度が、所定の閾値以下である場合（ステップＳ７；Ｎｏ）、ステップＳ９に進む。
【００５１】
次いで、ステップＳ９において、ＣＰＵ８は、第３の表示制御プログラム１０ｇを実行することにより、所定の第４メッセージを映像／音声出力装置２００に表示させ（ステップＳ９）、本処理を終了する。
【００５２】
以上に説明した本発明に係るデジタル放送受信装置１００によれば、ＣＰＵ８が、検出プログラム１０ａを実行することによって、デコードエラーを検出することができ、計測プログラム１０ｂを実行することによって、チューナから出力された信号強度を計測することができ、検出プログラム１０ａの実行によりデコードエラーが検出された際に、計測プログラム１０ｂの実行により計測された信号強度が、所定値以下である場合、第１の表示制御プログラム１０ｃを実行することによって、所定の第１メッセージを映像／音声出力装置２００に表示させることができる。また、ＣＰＵ８が、判断プログラム１０ｄを実行することによって、記憶部１０に記憶されたテストストリームデータを用いて、デコーダに異常があるか否かを判断することができ、判断プログラム１０ｄの実行によりデコーダに異常があると判断された場合、第２の表示制御プログラム１０ｅを実行することによって、所定の第２メッセージを映像／音声出力装置２００に表示させることができる。また、ＣＰＵ８が、算出プログラム１０ｆを実行することによって、検出プログラム１０ａの実行によりデコードエラーが検出された際、所定の周期内におけるデコードエラー発生頻度を算出することができ、算出プログラム１０ｆの実行により算出されたデコードエラー発生頻度が所定の閾値を超えた場合、第３の表示制御プログラム１０ｇを実行することによって、所定の第３メッセージを映像／音声出力装置２００に表示させ、算出プログラム１０ｆの実行により算出されたデコードエラー発生頻度が所定の閾値以下である場合、第３の表示制御プログラム１０ｇを実行することによって、所定の第４メッセージを映像／音声出力装置２００に表示させることができる。
従って、デコードエラーの発生原因を信号強度、デコーダ、又はデコードエラーの発生頻度から特定してユーザに伝えることができることとなり、これらの原因によりデコードエラーが発生した場合にデコードエラーの発生原因が分からないことに対するユーザの不安を軽減させることができる。
【００５３】
なお、本発明は、上記実施の形態に限定されることなく、本発明の趣旨を逸脱しない範囲において、種々の改良並びに設計の変更を行っても良い。
例えば、本発明に係るデジタル放送受信装置単体に限られることなく、デジタル放送受信機能がテレビに組み込まれた受信機内蔵テレビや受信機内蔵ＤＶＤプレーヤ等、デジタル放送信号を受信することができる端末機器であっても良い。
デコードエラーの原因を特定する際、必ずしも図２のフローチャートに示した順番で行わなくてもよいが、図２のフローチャートのようにデコードエラー発生の確率の高い原因から順番に特定することが望ましい。
【図面の簡単な説明】
【００５４】
【図１】本発明に係るデジタル放送受信装置の要部構成を示すブロック図である。
【図２】本発明に係るデジタル放送受信装置のメッセージ表示動作処理を示すフローチャートである。
【符号の説明】
【００５５】
１００    デジタル放送受信装置
５        デコーダ
６        ＯＳＤ処理部（表示制御手段、第１の表示制御手段、第２の表示制御手段、第３の表示制御手段）
８        ＣＰＵ（検出手段、計測手段、表示制御手段、第１の表示制御手段、判断手段、第２の表示制御手段、算出手段、第３の表示制御手段）
１０      記憶部（記憶手段）
１０ａ    検出プログラム（検出手段）
１０ｂ    計測プログラム（計測手段）
１０ｃ    第１の表示制御プログラム（表示制御手段、第１の表示制御手段）
１０ｄ    判断プログラム（判断手段）
１０ｅ    第２の表示制御プログラム（第２の表示制御手段）
１０ｆ    算出プログラム（算出手段）
１０ｇ    第３の表示制御プログラム（第３の表示制御手段）
２００    映像／音声出力装置（表示手段）
【図１】
2007288521.tif 000003
【図２】
2007288521.tif 000004